(57)【要約】【課題】印刷対象物の読取面や印刷用紙サイズなどの印刷条件や書類のマスク領域の位置等を選択する操作を容易にし、本人確認等に必要な書類を複写する場合の準備作業にかかるユーザの作業負担を軽減させることを課題とする。【解決手段】操作部と、読取対象物を載置する原稿載置台と、原稿載置台に載置された読取対象物を読み取り、読取対象物の入力画像データを取得する画像入力部と、入力画像データを利用して、読取対象物の種類を判定する読取対象判定部と、操作部によって入力された読取対象物の用途を確定する用途確定部と、判定された読取対象物の種類と、確定された読取対象物の用途とに基づいて、読取対象物を印刷用紙に複写する場合の印刷条件を設定する印刷条件設定部と、設定された印刷条件を利用して印刷用紙に印刷すべき印刷画像データを生成する印刷画像生成部と、印刷画像データを印刷用紙に印刷する画像出力部とを備えたことを特徴とする。【選択図】図１１
2020127085.tif 000002
【特許請求の範囲】
【請求項１】
所定の情報を入力するための操作部と、
読取対象物を載置する原稿載置台と、
前記原稿載置台に載置された読取対象物を読み取り、前記読取対象物の入力画像データを取得する画像入力部と、
前記入力画像データを利用して、前記読取対象物の種類を判定する読取対象判定部と、
前記操作部によって入力された読取対象物の用途を確定する用途確定部と、
前記判定された読取対象物の種類と前記確定された読取対象物の用途とに基づいて、前記読取対象物を印刷用紙に複写する場合の印刷条件を設定する印刷条件設定部と、
前記設定された印刷条件を利用して、印刷用紙に印刷すべき印刷画像データを生成する印刷画像生成部と、
前記印刷画像データを印刷用紙に印刷する画像出力部とを備えたことを特徴とする画像形成装置。
【請求項２】
表示部と、用途印刷条件情報を予め記憶した記憶部をさらに備え、
前記用途印刷条件情報は、前記読取対象物の種類と、前記読取対象物の用途と、前記読取対象物を印刷用紙に複写する場合の印刷条件とを対応づけた情報であり、
前記印刷条件設定部は、前記用途印刷条件情報から、前記判定された読取対象物の種類と、前記確定された読取対象物の用途とに対応づけられている印刷条件を取得して、所定の印刷条件を前記表示部に表示させ、前記操作部による選択入力操作によって、前記読み取られた読取対象物の入力画像データを印刷するときの印刷条件を設定することを特徴とする請求項１に記載の画像形成装置。
【請求項３】
前記画像入力部によって読み取られた読取対象物の読取面の入力画像データにおいて、印刷する必要のない部分の非印刷位置を確定する非印刷位置確定部をさらに備え、
前記判定された読取対象物の種類と、前記確定された読取対象物の用途とに基づいて、前記読取対象物の読取面の非印刷位置を確定することを特徴とする請求項１に記載の画像形成装置。
【請求項４】
前記印刷条件には、前記読取対象物の読取面、印刷用紙サイズ、前記読取対象物の読取面の入力画像データのうち、印刷する必要のない部分の非印刷位置、および、印刷用紙における前記読取対象物の印刷位置を示した読取対象配置が含まれることを特徴とする請求項１に記載の画像形成装置。
【請求項５】
前記読取対象判定部は、前記画像入力部によって読み取られた読取対象物の入力画像データを認識する画像認識部を備え、
前記画像認識部が読取対象物の入力画像データを解析し、解析した入力画像データと、読取対象物の種類ごとに予め設定された読取対象物の基準となる複数の参照画像データとを比較して、前記入力画像データに一致可能な参照画像データに対応する種類を、読み取られた読取対象物の種類と判定することを特徴とする請求項１に記載の画像形成装置。
【請求項６】
前記用途印刷条件情報には、前記読取対象物の用途ごとに、利用可能な読取対象物の種類と、印刷する必要がある読取対象物の読取面と、読取対象物の複写に利用可能な印刷用紙のサイズと、前記読取対象物の読取面の入力画像データのうち印刷する必要のない部分の非印刷位置を示したマスク情報と、前記利用可能な印刷用紙における前記読取対象物の印刷位置を示した読取対象配置とが対応付けて記憶されていることを特徴とする請求項２に記載の画像形成装置。
【請求項７】
前記用途印刷条件情報において、前記読取対象物の複写に利用可能な印刷用紙のサイズに、複数の印刷用紙サイズが記憶されている場合、利用すべき印刷用紙として推奨される１つの印刷用紙サイズが、候補サイズとして記憶され、前記表示部に、候補サイズとして記憶された印刷用紙サイズが、推奨される印刷用紙サイズとして表示されることを特徴とする請求項６に記載の画像形成装置。
【請求項８】
前記印刷条件設定部は、前記用途印刷条件情報から取得した印刷条件のうち、前記候補サイズとして記憶されている印刷用紙サイズを前記表示部に表示させ、前記操作部によって、表示されている印刷用紙サイズを承認する入力がされた場合に、その承認された印刷用紙サイズを、前記読み取られた読取対象物の入力画像データを印刷するときの印刷用紙サイズに設定することを特徴とする請求項７に記載の画像形成装置。
【請求項９】
前記印刷条件設定部は、前記用途印刷条件情報から取得した印刷条件のうち、前記マスク情報に記憶されている非印刷位置を、前記表示部に表示させ、前記操作部によって、表示されている非印刷位置を承認する入力がされた場合に、その承認された非印刷位置を、前記読み取られた読取対象物の入力画像データを印刷するときの非印刷位置に設定することを特徴とする請求項６に記載の画像形成装置。
【請求項１０】
前記マスク情報に記憶されている非印刷位置を、前記表示部に表示させる場合、前記読み取られた読取対象物の読取面の入力画像データを前記表示部に表示させ、かつ、前記読取面の中の非印刷位置の記載内容が見えない状態で表示させることを特徴とする請求項９に記載の画像形成装置。
【請求項１１】
前記印刷条件設定部は、前記用途印刷条件情報から取得した印刷条件のうち、前記読取対象配置に記憶されている配置に基づいて、読取対象物の読取面の印刷配置を示す画像データを、前記表示部に表示させ、前記操作部によって、表示されている読取面の印刷配置を承認する入力がされた場合に、その承認された読取面の印刷配置を、前記読み取られた読取対象物の入力画像データを印刷するときの印刷配置に設定することを特徴とする請求項６に記載の画像形成装置。
【請求項１２】
画像形成装置の印刷画像生成方法であって、
画像形成装置が、所定の情報を入力するための操作部と、読取対象物を載置する原稿載置台とを備え、
前記原稿載置台に載置された読取対象物を読み取り、前記読取対象物の入力画像データを取得する画像入力ステップと、
前記取得された入力画像データを利用して、前記読取対象物の種類を判定する種類判定ステップと、
前記操作部によって入力された読取対象物の用途を、前記読取対象物の用途に確定する用途確定ステップと、
前記判定された読取対象物の種類と、前記確定された読取対象物の用途とに基づいて、前記読取対象物を印刷用紙に複写する場合の印刷条件を設定する印刷条件設定ステップと、
前記設定された印刷条件を利用して、印刷用紙に印刷すべき印刷画像データを生成する印刷画像生成ステップと、
前記印刷画像データを、印刷用紙に印刷する画像出力ステップとからなることを特徴とする画像形成装置の印刷画像生成方法。
【発明の詳細な説明】
【技術分野】
【０００１】
この発明は、画像形成装置に関し、特に、印刷物を利用する用途等を考慮して、読取対象物の印刷条件を設定して印刷を行う機能を有する画像形成装置に関する。
【背景技術】
【０００２】
従来から、画像形成装置において、本人確認等のための書類として利用される運転免許証やパスポートを複写することが行われている。
これらの運転免許証などには、種々の個人情報が記載されており、本人確認には必要のない個人情報も含まれている。
そこで、本人確認等のために利用される書類で、必要のない部分の個人情報を印刷しないようにし、本人確認に必要な部分のみを選択的に印刷する技術が提案されている。
【０００３】
たとえば、特許文献１には、多数のフォーマットが存在する住民票などの複数の様式のパターンを記憶しておき、住民票等の原本を実際に読み取った画像データを表示させ、読み取るべき住民票等の原本の様式とプリントアウトの省略を行う箇所とを指示することによって読み取るべき住民票等の原本のパターンを選択し、プリントアウトする部分としない部分が選択されたパターンの画像データを表示されている画像データに合成させて表示し、不必要な部分の情報を除いて印刷する画像編集装置が提案されている。
【０００４】
また、特許文献２には、コピーする原稿（運転免許証等）に含まれる各個人情報の座標位置を予め保持しておき、コピーする原稿の種類をユーザにより選択するかまたは、読み取った原稿の特徴を抽出することにより原稿の種類を自動判定し、印刷に必要な項目あるいはマスキング処理すべき項目をユーザにより選択した後、原稿を読み取り、読み取った原稿の画像データに対してマスキング処理すべき項目をマスキングした後、マスキング処理をした画像データをプリントアウトする画像処理装置が提案されている。
【先行技術文献】
【特許文献】
【０００５】
【特許文献１】特開昭６３−２４４１７１号公報
【特許文献２】特開２００７−７４０８８号公報
【発明の概要】
【発明が解決しようとする課題】
【０００６】
しかし、従来は、本人確認等のための書類をコピーする場合において、コピーする読取面の選択、コピーする位置あるいはマスクすべき位置の選択、印刷用紙の選択等を、ユーザあるいは店舗の担当者が選択する必要があった。
【０００７】
また、本人確認等のための書類には、住民票、運転免許証、パスポート、マイナンバーカード等、さまざまなものが利用可能であり、同じ書類であっても、本人確認等のために必要な項目が、印刷物を利用する用途によって異なる場合がある。
たとえば、本人確認のために、運転免許証では表面と裏面の両面のコピーが必要な場合や、パスポートでは写真掲載ページと所持人記入欄ページのコピーが必要な場合がある。
本人確認のために、写真が記載されている運転免許証やパスポートを利用することができるが、写真が記載されていない健康保険証等の書類は利用できない場合もある。
【０００８】
また、確定申告や銀行口座の開設のために、マイナンバーカードでは、表面と裏面の両面のコピーが必要な場合がある。
さらに、たとえば、運転免許証を本人確認のために利用するとき、運転免許証の表面だけのコピーを必要とする場合と、両面のコピーが必要な場合があり、また、表面の「免許等の条件」の欄や、裏面の「臓器提供意思」の欄は必要でない場合がある。
【０００９】
このように、確定申告、銀行口座開設、あるいは単なる本人確認等の用途によって、利用可能な書類が異なり、また、同じ書類であっても、用途によってコピーすべき項目が異なる場合があるので、ユーザや店舗の担当者が、用途ごとに、必要な書類やコピーすべき項目をその都度判断することは、非常に煩雑であり、入力操作も複雑であり、本人確認等のために必要な個人情報が記載された書類をコピーするまでの準備作業にかかるユーザの作業負担は非常に大きい。
【００１０】
そこで、この発明は、以上のような事情を考慮してなされたものであり、印刷物を利用する用途や、読み取る書類の種類等を考慮して、書類の読取面や印刷用紙サイズなどの印刷条件や書類のマスク領域の位置等を選択する操作を容易にし、本人確認等に必要な書類を複写する場合の準備作業にかかるユーザの作業負担を軽減させることを課題とする。
【課題を解決するための手段】
【００１１】
この発明は、所定の情報を入力するための操作部と、読取対象物を載置する原稿載置台と、前記原稿載置台に載置された読取対象物を読み取り、前記読取対象物の入力画像データを取得する画像入力部と、前記入力画像データを利用して、前記読取対象物の種類を判定する読取対象判定部と、前記操作部によって入力された読取対象物の用途を確定する用途確定部と、前記判定された読取対象物の種類と、前記確定された読取対象物の用途とに基づいて、前記読取対象物を印刷用紙に複写する場合の印刷条件を設定する印刷条件設定部と、前記設定された印刷条件を利用して、印刷用紙に印刷すべき印刷画像データを生成する印刷画像生成部と、前記印刷画像データを、印刷用紙に印刷する画像出力部とを備えたことを特徴とする画像形成装置を提供するものである。
【００１２】
また、表示部と、用途印刷条件情報を予め記憶した記憶部をさらに備え、前記用途印刷条件情報は、前記読取対象物の種類と、前記読取対象物の用途と、前記読取対象物を印刷用紙に複写する場合の印刷条件とを対応づけた情報であり、前記印刷条件設定部は、前記用途印刷条件情報から、前記判定された読取対象物の種類と、前記確定された読取対象物の用途とに対応づけられている印刷条件を取得して、所定の印刷条件を前記表示部に表示させ、前記操作部による選択入力操作によって、前記読み取られた読取対象物の入力画像データを印刷するときの印刷条件を設定することを特徴とする。
【００１３】
また、前記画像入力部によって読み取られた読取対象物の読取面の入力画像データにおいて、印刷する必要のない部分の非印刷位置を確定する非印刷位置確定部をさらに備え、前記判定された読取対象物の種類と、前記確定された読取対象物の用途とに基づいて、前記読取対象物の読取面の非印刷位置を確定することを特徴とする。
【００１４】
また、前記印刷条件には、前記読取対象物の読取面、印刷用紙サイズ、前記読取対象物の読取面の入力画像データのうち、印刷する必要のない部分の非印刷位置、および、印刷用紙における前記読取対象物の印刷位置を示した読取対象配置が含まれることを特徴とする。
【００１５】
また、前記読取対象判定部は、前記画像入力部によって読み取られた読取対象物の入力画像データを認識する画像認識部を備え、前記画像認識部が読取対象物の入力画像データを解析し、解析した入力画像データと、読取対象物の種類ごとに予め設定された読取対象物の基準となる複数の参照画像データとを比較して、前記入力画像データに一致可能な参照画像データに対応する種類を、読み取られた読取対象物の種類と判定することを特徴とする。
【００１６】
また、前記用途印刷条件情報には、前記読取対象物の用途ごとに、利用可能な読取対象物の種類と、印刷する必要がある読取対象物の読取面と、読取対象物の複写に利用可能な印刷用紙のサイズと、前記読取対象物の読取面の入力画像データのうち印刷する必要のない部分の非印刷位置を示したマスク情報と、前記利用可能な印刷用紙における前記読取対象物の印刷位置を示した読取対象配置とが対応付けて記憶されていることを特徴とする。
【００１７】
また、前記用途印刷条件情報において、前記読取対象物の複写に利用可能な印刷用紙のサイズに、複数の印刷用紙サイズが記憶されている場合、利用すべき印刷用紙として推奨される１つの印刷用紙サイズが、候補サイズとして記憶され、前記表示部に、候補サイズとして記憶された印刷用紙サイズが、推奨される印刷用紙サイズとして表示されることを特徴とする。
【００１８】
また、前記印刷条件設定部は、前記用途印刷条件情報から取得した印刷条件のうち、前記候補サイズとして記憶されている印刷用紙サイズを前記表示部に表示させ、前記操作部によって、表示されている印刷用紙サイズを承認する入力がされた場合に、その承認された印刷用紙サイズを、前記読み取られた読取対象物の入力画像データを印刷するときの印刷用紙サイズに設定することを特徴とする。
【００１９】
また、前記印刷条件設定部は、前記用途印刷条件情報から取得した印刷条件のうち、前記マスク情報に記憶されている非印刷位置を、前記表示部に表示させ、前記操作部によって、表示されている非印刷位置を承認する入力がされた場合に、その承認された非印刷位置を、前記読み取られた読取対象物の入力画像データを印刷するときの非印刷位置に設定することを特徴とする。
【００２０】
また、前記マスク情報に記憶されている非印刷位置を、前記表示部に表示させる場合、前記読み取られた読取対象物の読取面の入力画像データを前記表示部に表示させ、かつ、前記読取面の中の非印刷位置の記載内容が見えない状態で表示させることを特徴とする。
【００２１】
また、前記印刷条件設定部は、前記用途印刷条件情報から取得した印刷条件のうち、前記読取対象配置に記憶されている配置に基づいて、読取対象物の読取面の印刷配置を示す画像データを、前記表示部に表示させ、前記操作部によって、表示されている読取面の印刷配置を承認する入力がされた場合に、その承認された読取面の印刷配置を、前記読み取られた読取対象物の入力画像データを印刷するときの印刷配置に設定することを特徴とする。
【００２２】
また、この発明は、画像形成装置の印刷画像生成方法であって、画像形成装置が、ユーザが所定の情報を入力するための操作部と、読取対象物を載置する原稿載置台とを備え、前記原稿載置台に載置された読取対象物を読み取り、前記読取対象物の入力画像データを取得する画像入力ステップと、前記取得された入力画像データを利用して、前記読取対象物の種類を判定する種類判定ステップと、前記操作部によって入力された読取対象物の用途を、前記読取対象物の用途に確定する用途確定ステップと、前記判定された読取対象物の種類と、前記確定された読取対象物の用途とに基づいて、前記読取対象物を印刷用紙に複写する場合の印刷条件を設定する印刷条件設定ステップと、前記設定された印刷条件を利用して、印刷用紙に印刷すべき印刷画像データを生成する印刷画像生成ステップと、前記印刷画像データを、印刷用紙に印刷する画像出力ステップとからなることを特徴とする画像形成装置の印刷画像生成方法を提供するものである。
【発明の効果】
【００２３】
この発明によれば、読み取られた読取対象物の入力画像データを利用して、読取対象物の種類を判定する読取対象判定部と、入力された読取対象物の用途を確定する用途確定部と、判定された読取対象物の種類と確定された読取対象物の用途とに基づいて、読取対象物を印刷用紙に複写する場合の印刷条件を設定する印刷条件設定部と、設定された印刷条件を利用して、印刷用紙に印刷すべき印刷画像データを生成する印刷画像生成部とを備えるので、読取対象物を利用する用途と読取対象物の種類を考慮して、たとえば、読取対象物の読取面や印刷用紙サイズなどの印刷条件や、読取対象物のマスク領域の位置等を選択する入力操作を容易にし、本人確認等に必要な読取対象物を複写する場合の準備作業にかかるユーザの作業負担を軽減させることができる。
【図面の簡単な説明】
【００２４】
【図１】この発明の画像形成装置の一実施例の構成ブロック図である。
【図２】この発明において、記憶部に記憶される情報の一実施例の説明図である。
【図３】この発明において、記憶部に記憶される用途印刷条件情報の一実施例の説明図である。
【図４】この発明において、記憶部に記憶される用途印刷条件情報の一実施例の説明図である。
【図５】この発明において、記憶部に記憶される用途印刷条件情報の一実施例の説明図である。
【図６】この発明において、印刷物を利用する用途を選択する表示画面の一実施例の説明図である。
【図７】この発明において、印刷用紙を選択する表示画面の一実施例の説明図である。
【図８】この発明において、印刷画像の配置を選択する表示画面の一実施例の説明図である。
【図９】この発明において、印刷対象物（マイナンバーカード）のマスク領域の一実施例の説明図である。
【図１０】この発明において、印刷対象物（運転免許証）のマスク領域の一実施例の説明図である。
【図１１】この発明において、用途別書面印刷処理の一実施例のフローチャートである。
【図１２】この発明において、読取対象の種類判定処理の一実施例のフローチャートである。
【図１３】この発明において、用途確定処理の一実施例のフローチャートである。
【図１４】この発明において、印刷用紙サイズの設定処理の一実施例のフローチャートである。
【図１５】この発明において、印刷配置の設定処理の一実施例のフローチャートである。
【図１６】この発明において、マスク領域の確定処理の一実施例のフローチャートである。
【図１７】この発明において、印刷状態の確認処理の一実施例のフローチャートである。
【発明を実施するための形態】
【００２５】
以下、図面を使用して本発明の実施の形態を説明する。なお、以下の実施例の記載によって、この発明が限定されるものではない。
【００２６】
＜画像形成装置の構成＞
図１に、この発明の画像形成装置の一実施例の構成ブロック図を示す。
画像形成装置（以下、ＭＦＰ：Multifunction Peripheral、複合機とも呼ぶ）１は、画像データを処理する装置であり、たとえば、複写機能、印刷機能、原稿読取機能（スキャン機能）、原稿編集機能、ＦＡＸ機能、通信機能などを備えた電子機器である。
この発明の画像形成装置１は、特に、読み取る原稿（読取対象物）を載置する原稿載置台を備え、原稿載置台に載置された原稿のサイズを検出し、読み取った原稿の種類を判定する機能を有する。また、複数の原稿を一括して読み取るために、原稿を1枚ずつ原稿載置台に搬送する自動原稿送り装置を備えてもよい。
【００２７】
図１において、この発明の画像形成装置（ＭＦＰ）１は、主として、制御部１１、操作部１２、表示部１３、画像処理部１４、読取対象判定部２１、用途確定部２２、印刷条件設定部２３、非印刷位置確定部２４、印刷画像生成部２５、記憶部５０を備える。
ここで、画像処理部１４は、画像入力部１５、画像形成部１６、および画像出力部１７を含み、読取対象判定部２１は、原稿サイズ検出部と画像認識部を含むものとする。
【００２８】
制御部１１は、操作部や画像処理部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像処理機能、読取対象判定機能などを実行する。
【００２９】
また、上記構成要素のうち、画像処理部１４、読取対象判定部２１、用途確定部２２、印刷条件設定部２３、非印刷位置確定部２４、印刷画像生成部２５は、ＣＰＵが、所定のプログラムに基づいてそれぞれの処理を実行する機能ブロックである。
【００３０】
操作部１２は、画像形成装置の利用者が、所定の情報を入力するための入力装置である。
たとえば、文字や読取対象物の用途などの情報の入力や、機能の選択入力をする部分であり、キーボード、マウス、タッチパネルなどが用いられる。
【００３１】
表示部１３は、情報を表示する部分であり、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部とタッチパネルとが重ね合わせて配置される。
表示部１３には、たとえば、画像形成装置の印刷機能や、原稿読取機能を実行するのに必要な情報や、検出した原稿のサイズなどが、文字、記号、画像、アイコン等を用いて、表示される。
【００３２】
画像処理部１４は、画像形成装置本来の画像形成機能を実行する部分であり、主として、所定の画像データを入力する画像入力部１５、入力された画像データを印刷等することのできる情報に変換する画像形成部１６、形成された印刷情報等を印刷用紙等に出力する画像出力部１７などからなる。
【００３３】
画像入力部１５は、画像データを入力する部分であり、たとえば、画像や文字図形等が記載された原稿などの情報を入力する。
画像入力部としては、情報が印刷された原稿を読み取るスキャナ（読取装置）を用いる。
画像情報を入力する方法は種々の方法があるが、たとえば、原稿載置台に載置された原稿（読取対象物）を、スキャナで読み取り、読取対象物の入力画像データを取得し、記憶部５０に記憶する。
【００３４】
また、たとえば、ＵＳＢメモリなどの外部の記憶媒体を接続するインタフェースが、画像入力部に該当する。
入力したい画像情報などの電子データファイルを、ＵＳＢメモリなどの外部の記憶媒体に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部５０に、入力画像データとして記憶してもよい。
【００３５】
また、インターネットなどのネットワークを介して、画像情報などを予め記憶したパソコンなどの情報処理装置やサーバに接続して、データ通信によって、画像情報などを受信してもよい。さらに、通信機能を有するカメラで、画像情報が記載された用紙を撮影し、無線通信によってカメラと接続し、撮影された画像情報を受信してもよい。
【００３６】
画像形成部１６は、たとえば、画像データを記録媒体に印刷する場合、一般的に、帯電、露光、現像、転写、クリーニング、除電、及び定着の各工程を連続的に実施して、画像データを記録媒体に形成する。
現像工程では、トナーカートリッジからトナーを現像装置に補給し、帯電した感光体ドラムの表面に形成された静電潜像が現像され、静電潜像に対応したトナー像が形成される。
感光体ドラムの表面に形成されたトナー像は転写装置によって記録媒体上に転写され、その後、定着装置によって加熱されることにより記録媒体上に定着させられる。
また、画像形成部１６は、入力された画像データを転送や表示できる形態の情報に変換する。
【００３７】
画像出力部１７は、形成された画像データを出力する部分であり、特に、後述する印刷画像生成部２５によって生成された印刷画像データを印刷用紙に印刷する。
画像出力部１７は、たとえば、プリンタに相当し、所定の印刷用紙（紙媒体）に転写定着された印刷画像データを、出力する。
ただし、画像データの出力は、印刷に限るものではなく、ＵＳＢメモリなどの外部の記憶媒体への画像データの記憶や、インターネットなどのネットワークを介して他の情報処理装置やサーバへの画像データの送信でもよい。
【００３８】
読取対象判定部２１は、取得された読取対象物の入力画像データを利用して、読取対象物の種類を判定する部分である。
たとえば、原稿載置台に載置された原稿が運転免許証である場合、画像入力部１５によって運転免許証の入力画像データを取得し、その入力画像データのサイズを検出し、入力画像データを解析して、所定の縦横サイズおよび参照画像データと比較することにより、載置された原稿の種類が運転免許証であると判定する。
ここで、運転免許証など、判定したい複数の読取対象物についての縦横サイズと、基準となる参照画像データとを、記憶部５０に予め記憶しておく。
また、読取対象物の種類を判定するために、原稿載置台に読取対象物が載置された状態で、画像入力部１５による読取対象物の読取処理を実行する。
【００３９】
運転免許証は、予め設定された縦横サイズを有する長方形形状のカード型媒体であり、その記載内容には、住所や氏名欄等があるが、各記載欄の位置や欄の名称は固定されているので、取得された画像データの部分認識をすることによって、載置された原稿が運転免許証であるか否かを判定することができる。
読取対象判定部２１は、次のような原稿サイズ検出部と画像認識部を含む。
【００４０】
原稿サイズ検出部は、原稿載置台に載置された原稿のサイズを検出する部分であり、主として、発光部と受光部からなる。
原稿載置台は、原稿を載置する台であり、原稿載置台の上面に、たとえば透明なガラス板からなる原稿載置領域が設けられ、原稿載置領域の上に、原稿を載置する。
【００４１】
発光部は、所定の波長の光を出射する部分であり、１または複数の発光素子を含み、発光素子としては、たとえば、所定の色の可視光を出射する発光ダイオード（LED）が利用される。
発光部は、発光部に含まれる発光素子から出射される光が、原稿載置領域の方向に向かうように、原稿載置台に対して開閉可能に取り付けられた原稿カバーに取り付けられる。
受光部は、原稿載置領域よりも下方で、原稿載置台の内部側面に配置される。
すなわち、発光部と受光部とは、原稿載置台を間に挟んだ反対側にそれぞれ配置される。
【００４２】
受光部は、発光部から出射された光を受光する部分であり、複数の受光素子を含み、受光素子としては、たとえば、所定の波長の可視光を受光することが可能なフォトダイオード（PD）が利用される。
また、発光素子から出射されかつ原稿載置領域を透過した光の一部が、各受光素子に受光されるように、複数の受光素子が所定の間隔をあけて配置される。
このように複数の受光素子において、受光の有無をそれぞれ判断し、受光のあった受光素子の位置と、受光のなかった受光素子の位置に基づいて、原稿載置領域に載置された原稿のサイズを検出する。
【００４３】
運転免許証などの読取対象物のサイズが予め固定設定されたものである場合、その読取対象物のサイズを予め記憶しておき、上記のように検出された原稿のサイズと、予め記憶された読取対象物のサイズとを比較することにより、原稿が、どの読取対象物であるかを判定することができる。
ただし、異なる読取対象物が、同一サイズの場合もあるので、画像認識部による認識結果も利用して、読取対象物の種類の判定を行う。
【００４４】
画像認識部は、画像入力部１５によって読み取られた読取対象物の入力画像データを認識する部分である。
たとえば、画像認識部が読取対象物の入力画像データを解析し、解析した入力画像データと、読取対象物の種類ごとに予め設定された読取対象物の基準となる複数の参照画像データとを比較して、入力画像データに一致可能な参照画像データに対応する種類を、読み取られた読取対象物の種類と判定する。
この発明では、特に、個人を認証することのできる書類を認識して、読取対象物の種類を判定する。
たとえば、マイナンバーカード、運転免許証、パスポート、住民票、健康保険証、戸籍謄本、住所氏名等の個人情報が記載されたその他の書類などが、認識される。
画像認識処理そのものは、従来から利用されている技術を利用すればよい。
【００４５】
用途確定部２２は、読取対象物を複写した印刷用紙を利用する用途を確定する部分であり、主として、操作部１２によって入力された用途を、読取対象物の用途として確定する。
この用途は、読取対象物を複写するユーザによって異なるので、たとえば、後述するように、用途選択用画面を表示部１３に表示させて、ユーザが所望の用途を選択入力することにより、用途を確定させる。確定された用途は、用途情報５３として記憶部５０に記憶する。
【００４６】
印刷条件設定部２３は、判定された読取対象物の種類と、確定された読取対象物の用途とに基づいて、読取対象物を印刷用紙に複写する場合の印刷条件を設定する部分である。
印刷条件設定部２３は、特に、後述する用途印刷条件情報５１から、判定された読取対象物の種類と、確定された読取対象物の用途とに対応づけられている印刷条件を取得して、所定の印刷条件を表示部１３に表示させ、操作部１２による選択入力操作によって、読み取られた読取対象物の入力画像データを印刷するときの印刷条件を設定する。
印刷条件としては、たとえば、印刷用紙サイズ、読取対象物の読取面、読取対象物の読取面の入力画像データのうち、印刷する必要のない部分の非印刷位置、および、印刷用紙における読取対象物の印刷位置を示した読取対象配置などが含まれる。
【００４７】
また、ユーザが印刷条件を設定するときに、操作部１２を利用した入力操作を容易にするために、確定された用途と判定された読取対象物の種類とに基づいて、まず、予め設定記憶された推奨条件を表示させることが好ましい。
【００４８】
たとえば、用途印刷条件情報５１から取得した印刷条件のうち、印刷用紙サイズを設定する場合、用途と読取対象物に予め対応付けられて候補サイズとして記憶されている印刷用紙サイズを、推奨される印刷用紙サイズとして表示部１３に表示させ、ユーザに、推奨される印刷用紙サイズで問題ないかを確認してもらう。
その後、操作部１２によって、表示されている印刷用紙サイズを承認する入力がされた場合に、その承認された推奨される印刷用紙サイズを、読取対象物の入力画像データを印刷するときの印刷用紙サイズの条件として設定する。
印刷用紙サイズを変更したい場合は、ユーザに、所望の印刷用紙サイズを、選択入力してもらえばよい。
【００４９】
用途と読取対象物に対応付けた印刷用紙サイズの情報は、後述する用途印刷条件情報５１に、予め記憶しておく。
特に、用途印刷条件情報５１において、読取対象物の複写に利用可能な印刷用紙のサイズに複数の印刷用紙サイズが記憶されている場合、ユーザが印刷用紙サイズを選択する作業を容易にするために、後述する図３等に示すように、利用すべき印刷用紙として推奨される１つの印刷用紙サイズを、候補サイズとして記憶することが好ましく、また、表示部１３に、候補サイズとして記憶された印刷用紙サイズが、推奨される印刷用紙サイズとして表示されるようにすることが好ましい。
【００５０】
また、用途印刷条件情報５１から取得した印刷条件のうち、読取対象配置を設定する場合、印刷条件設定部２３は、用途印刷条件情報５１から、判定された読取対象物の種類と確定された読取対象物の用途とに対応づけられている印刷条件を取得した後、取得した印刷条件のうち、読取対象配置に記憶されている配置に基づいて、読取対象物の読取面の印刷配置を示す画像データを、表示部１３に表示させ、操作部１２によって、表示されている読取面の印刷配置を承認する入力がされた場合に、その承認された読取面の印刷配置を、読み取られた読取対象物の入力画像データを印刷するときの印刷配置に設定する。
【００５１】
他の印刷条件についても、上記した印刷用紙サイズと同様に、予め設定記憶された推奨条件を表示させ、ユーザによって、表示された推奨条件を承認する入力がされた場合は、その推奨条件を確定した印刷条件として設定してもよい。
たとえば、読取対象物の読取面と印刷配置を設定する場合、用途と読取対象物に予め対応付けられた読取面と印刷配置を、推奨される読取面と印刷配置として表示させ、ユーザに、推奨される読取面と印刷配置で問題ないかを確認してもらい、問題がないことを示す承認入力がされた場合に、その推奨される読取面と印刷配置を、読取面と印刷配置の条件として設定する。
【００５２】
読取面は、読取対象物の表面または裏面のどちらか一方と、その両面の場合がある。
読取面が両面ある場合は、印刷対象が２つなので、印刷配置を設定する。
印刷配置では、２つの印刷対象の位置関係が設定され、たとえば、２つの印刷対象を、印刷用紙の左右に配置して印刷するか、または、印刷用紙の上下に配置して印刷するかを設定する。
また、読取面が、表面または裏面のうちどちらか一方（片面）である場合は、印刷対象が１つなので、印刷配置を設定しなくてもよい。
ただし、読取面が１つであっても、印刷用紙に対する印刷対象の向きを設定したい場合は、印刷配置を設定してもよい。この場合、たとえば、印刷用紙に対して、印刷対象を横向きに印刷するか、あるいは縦向きに印刷するかを設定すればよい。
【００５３】
また、同じ読取対象物であっても、印刷物を利用する用途によっては、必要となる読取面が異なる場合がある。
たとえば、用途が単なる本人確認の場合、マイナンバーカードや運転免許証の写真のある表面だけのコピーでよい場合があるのに対して、用途が確定申告や銀行口座開設の場合、マイナンバーカードの両面（表面と裏面）のコピーを必要とする場合もある。
ユーザが、印刷物を利用する用途ごとに、その都度、読取対象物の表面だけのコピーでよいのか、読取対象物の両面のコピーを必要とするのかを判断して、読取面を設定することが、困難な場合がある。
【００５４】
そこで、印刷物を利用する用途と読取対象物ごとに、必要な読取対象物の読取面が予め決まっている場合は、その用途と読取対象物に対応付けて読取対象物の読取面を予め記憶しておき、用途と読取対象物が確定すれば、確定した用途と読取対象物に予め対応付けて記憶されていた読取面を、推奨される読取面として表示させれば、ユーザの設定作業を容易なものとすることができる。
用途と読取対象物に対応付けた読取対象物の読取面の情報は、後述する用途印刷条件情報５１に、予め記憶しておく。
【００５５】
また、印刷物を利用する用途によっては、読取対象物がコピーされた印刷用紙を、所定の台紙に貼り付けて提出する場合があるが、印刷用紙を切り貼りして、台紙の所定の枠内に貼り付けなければならない場合があり、台紙の枠の位置や形状によっては、２つの印刷対象の配置として、左右配置が適している場合もあれば、上下配置が適している場合もある。
そこで、印刷物を利用する用途と読取対象物ごとに、好ましい読取対象物の印刷配置（読取対象配置）が予め決まっている場合は、その用途と読取対象物に対応付けて読取対象物の印刷配置（候補配置）を予め記憶しておき、用途と読取対象物が確定すれば、確定した用途と読取対象物に予め対応付けて記憶されていた印刷配置を、推奨される印刷配置として表示させる。
用途と読取対象物に対応付けた読取対象物の印刷配置（候補配置）の情報は、後述する用途印刷条件情報５１に、予め記憶しておく。
【００５６】
このように、確定された用途と判定された読取対象物に対応付けられた推奨条件を予め記憶しておき、推奨条件をユーザに提示することにより、印刷条件について十分な知識を有していないユーザが、自ら適切な条件を見つけて設定する必要がない場合があるので、印刷条件を設定する場合のユーザの作業負担を軽減することができる。
【００５７】
非印刷位置確定部２４は、画像入力部１５によって読み取られた読取対象物の読取面の入力画像データにおいて、印刷する必要のない部分である非印刷位置（以下、マスク位置、マスク領域とも呼ぶ）を確定する部分である。
特に、判定された読取対象物の種類と、確定された読取対象物の用途とに基づいて、読取対象物の読取面の非印刷位置を確定する。
印刷する必要のない部分である非印刷位置（マスク領域）は、読取対象物を利用しようとする用途では、印刷しなくてもよい部分であり、読取対象物の読取面を印刷用紙に印刷した場合に、空白として印刷されるか、または、白黒印刷では黒色の塗りつぶしパターンによって印刷される領域である。
【００５８】
非印刷位置（マスク領域）を確定する場合、印刷条件設定部２３によって、用途印刷条件情報５１から、判定された読取対象物の種類と、確定された読取対象物の用途とに対応づけられている印刷条件を取得した後、用途印刷条件情報５１から取得した印刷条件のうち、マスク情報に記憶されている非印刷位置を、表示部１３に表示させ、操作部１２によって、表示されている非印刷位置を承認する入力がされた場合に、その承認された非印刷位置を、読み取られた読取対象物の入力画像データを印刷するときの非印刷位置に設定する。
【００５９】
ここで、マスク情報に記憶されている非印刷位置を表示部１３に表示させる場合、たとえば、読み取られた読取対象物の読取面の入力画像データを表示部１３に表示させ、かつ、読取面の中の非印刷位置の記載内容が見えない状態で表示させるようにする。
ユーザは、このような表示画面を見て、印刷しなくてもよい部分である非印刷位置（マスク領域）を確認し、非印刷位置を承認する入力をするか、あるいは、非印刷位置を変更等したい場合は、表示された読取面の中で、非印刷位置（マスク領域）を指示入力すればよい。
【００６０】
読取対象判定部２１によって読取対象物の種類が判定され、用途も確定されると、読取対象物の読取面において、印刷しなくてもよい部分が予めわかっている場合がある。
たとえば、用途が単なる本人確認であり、読取対象物が運転免許証であった場合、運転免許証の表面のうち、写真、氏名、生年月日の欄は印刷する必要があるが、表面に記載された「免許の条件等」の欄や、裏面の「臓器提供意思」の欄は、単なる本人確認のためには必要ないので、印刷しなくてもよい場合がある。
【００６１】
このような場合、用途と読取対象物に対応付けて、非印刷位置（マスク領域）を、記憶部５０に予め記憶しておけばよい。上記の場合、本人確認と運転免許証に対応付けて、「免許の条件等」の欄や「臓器提供意思」の欄を、非印刷位置（マスク領域）として、予め記憶しておく。
用途と読取対象物に対応付けた非印刷位置（マスク領域）の情報は、後述する用途印刷条件情報５１に、予め記憶しておく。
【００６２】
そこで、用途と読取対象物に対応付けられたマスク領域を記憶部５０から読み出し、読み出したマスク領域を利用して、読取対象物の読取面の画像データを表示部１３に表示させる。たとえば、運転免許証の「免許の条件等」の欄がマスク領域であることを、ユーザが容易に理解できるように、「免許の条件等」の欄を赤枠で囲むとか、その欄の色を他の領域とは異なる色で表示させるとか、「免許の条件等」の欄自体を黒色等の塗りつぶしパターンでマスクして表示させるようにしてもよい。
【００６３】
この場合、表示されたマスク領域を印刷しないことに問題がなければ、ユーザは、マスク領域を承認する入力操作をするだけでよい。
マスク領域を承認する入力操作がされた場合、そのマスク領域を、マスク位置情報５４として、記憶部５０に記憶する。
もし、マスク領域の変更、削除、あるいは追加をしたい場合は、ユーザが、マスク領域を指示する入力をすればよい。
【００６４】
このように、用途と読取対象物が確定し、確定した用途と読取対象物に対応付けられた非印刷位置（マスク領域）が予め記憶されていれば、そのマスク領域を表示することにより、ユーザは、表示されたマスク領域を承認する入力操作をするだけでよく、マスク領域そのものを指示入力する必要がなくなる場合があるので、マスク領域を確定する場合のユーザの作業負担を軽減することができる。
【００６５】
印刷画像生成部２５は、設定された印刷条件を利用して、印刷用紙に印刷すべき印刷画像データを生成する部分である。
印刷用紙に印刷すべき印刷画像データは、記憶部５０に記憶された用途、読取対象物の種類、印刷条件（印刷用紙サイズ、読取面、読取対象配置、マスク領域など）を利用して、生成される。
特に、用途と読取対象物の種類が確定すれば、上記のように、確定した用途と読取対象物から、印刷条件（印刷用紙サイズ、読取面、読取対象配置、マスク領域など）が設定されるので、設定された印刷条件（印刷用紙サイズ、読取面、読取対象配置、マスク領域など）に基づいて、印刷すべき画像データが生成される。
生成された画像データは、印刷画像データ５６として、記憶部５０に記憶される。
【００６６】
生成された画像データを、生成後すぐに印刷してもよいが、ユーザに、印刷状態を確認してもらうために、実際に印刷する前に、予想概略画像データとして、生成された画像データを表示させてもよい。
ユーザがこの予想概略画像データを確認して、印刷をしてもよい場合は、たとえば、印刷承認を意味する入力操作をすることにより、生成された画像データを、印刷用紙に印刷する。
【００６７】
記憶部５０は、この発明の画像処理装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、用途印刷条件情報５１、読取対象物情報５２、用途情報５３、マスク位置情報５４、印刷条件情報５５、印刷画像データ５６などが記憶される。
図２から図５に、記憶部５０に記憶される情報の一実施例の説明図を示す。
【００６８】
用途印刷条件情報５１は、主として、用途と読取対象物に対応付けられた情報を予め記憶したものであり、読取対象物の種類と、読取対象物の用途と、読取対象物を印刷用紙に複写する場合の印刷条件とを対応づけた情報である。
後述するように、用途印刷条件情報５１には、前記読取対象物の用途ごとに、少なくとも、利用可能な読取対象物の種類と、印刷する必要がある読取対象物の読取面と、読取対象物の複写に利用可能な印刷用紙のサイズと、前記読取対象物の読取面の入力画像データのうち印刷する必要のない部分の非印刷位置を示したマスク情報と、前記利用可能な印刷用紙における前記読取対象物の印刷位置を示した読取対象配置とが対応付けて記憶されている。
用途印刷条件情報５１は、読取対象物の種類と用途とが確定された後に、印刷用紙サイズ、マスク領域、配置を選択する場合に利用される。
【００６９】
図３、図４および図５に、記憶部に記憶される用途印刷条件情報の一実施例の説明図を示す。
ここでは、用途の一実施例として、税金納付と、口座開設と、本人確認を示している。
【００７０】
図３では、税金納付のうち、確定申告に関する用途印刷条件情報５１を示している。
ただし、税金納付は確定申告に限るものではなく、他の税金納付についても、同様に、用途印刷条件情報５１を予め記憶すればよい。
図４では、口座開設のうち、銀行口座開設に関する用途印刷条件情報５１を示している。
ただし、口座開設は銀行口座開設に限るものではなく、他の口座開設についても、同様に、用途印刷条件情報５１を予め記憶すればよい。
図５では、本人確認に関する用途印刷条件情報５１を示している。
本人確認は、たとえば、店舗で利用する入会証の発行時に必要とするものであり、入会する本人の氏名や住所を証明するための書類のコピーを店舗に提出する。
【００７１】
（用途印刷条件情報の実施例１：確定申告に関する用途印刷条件情報）
図３に、用途が確定申告で、読取対象がマイナンバーカードの場合の用途印刷条件情報５１を示す。ただし、確定申告の場合の読取対象は、マイナンバーカードに限るものではない。
【００７２】
図３で、マスク情報は「なし」であり、読取面が「表裏両面」となっているが、マイナンバーカードの表面と裏面の両方を読み取ることが必要であり、表面と裏面のどちらも、マスクすべき領域はないことを示している。
用途が確定申告の場合、マイナンバーカードの表面と裏面に記載されている情報をすべて隠すことなく、印刷することを意味する。
確定申告の場合、マイナンバーカードの表面と裏面の両方をコピーすることが必要であることをユーザに知らせるために、マイナンバーカードを実際に読み取る前に、読取面が「表裏両面」であることを、表示部１３に表示することが好ましい。
【００７３】
印刷用紙サイズは、マイナンバーカードのコピーを印刷する用紙の大きさを意味する。図３では、印刷用紙サイズとして、候補サイズと、他サイズを記憶しており、候補サイズが「B5縦」であり、他サイズが「B6横」である場合を示している。
候補サイズは、印刷用紙としてユーザに推奨する用紙サイズであり、印刷用紙サイズを選択するときに、お勧めする用紙として表示される用紙サイズである。
他サイズは、候補サイズ以外に利用することができる用紙サイズであり、その他の用紙として表示される用紙サイズである。
他サイズがない場合は、候補サイズだけを記憶すればよい。
【００７４】
印刷用紙サイズを選択するとき、ユーザは、希望する用紙サイズがなければ、表示された候補サイズ「B5縦」を選択すればよい。
マイナンバーカードを印刷するのに適切な候補サイズが表示されるので、確定申告にマイナンバーカードを利用する場合に、ユーザは、印刷する用紙サイズを確認する手間を省くことができ、用紙サイズの選択にかかる時間を短縮できる。
【００７５】
読取対象配置は、読取対象物の読取面の印刷用紙における配置を示しているが、図３では、読取対象配置として、候補配置と、他配置を記憶している。
候補配置は、印刷用紙にマイナンバーカードの表面と裏面を印刷する場合に、表面と裏面についての推奨する配置を意味し、「表裏：上下縦配置」とは、候補サイズである「B5縦」にマイナンバーカードを印刷する場合、図３に示すように、マイナンバーカードの表面と裏面を、B5用紙の縦方向に配置して印刷することを意味する。
他配置は、印刷用紙にマイナンバーカードの表面と裏面を印刷する場合の他の配置を示しており、「B6横：左右横配置」とは、他サイズである「B6横」にマイナンバーカードを印刷する場合、図３に示すように、マイナンバーカードの表面と裏面を、B6用紙の横方向に配置して印刷することを意味する。
【００７６】
ユーザが読取対象配置を選択する場合、たとえば、図３に示すような「B5縦」と「B6横」の配置の概略イメージを表示させて、ユーザにどちらかの配置を選択してもらえばよい。
ただし、印刷用紙サイズを選択するときに候補サイズである「B5縦」がすでに選択されていた場合は、配置を選択するときの表示画面に「B5縦」の配置の概略イメージのほうが推奨する配置であることを示すか、あるいは、「B5縦」の配置の概略イメージのみを表示させてもよい。
【００７７】
また、図３の用途印刷条件情報５１では、その他情報として、「Ａ４サイズ台紙に貼付」という情報を予め記憶している。この「その他情報」は、マイナンバーカードが実際に印刷用紙に印刷された後に、マイナンバーカードが印刷された印刷用紙を、Ａ４サイズの台紙に貼付して提出することを意味する。
その他情報は、ユーザが、確定申告の書類として、マイナンバーカードが印刷された印刷用紙を提出する場合の参考情報であり、印刷そのものに必要な情報ではないが、ユーザにとって役に立つ情報なので、たとえば、印刷を実行する前や印刷を実行した後に、表示部１３に参考情報として表示してもよい。
ただし、その他情報は、記憶しなくてもよい。
【００７８】
（用途印刷条件情報の実施例２：銀行口座開設に関する用途印刷条件情報）
図４に、用途が銀行口座開設の場合の用途印刷条件情報５１を示す。
また、読取対象として、マイナンバーカード、住民票の写し、本人確認書類の場合の用途印刷条件情報５１を示している。
本人確認書類は、マイナンバーカードと住民票の写し以外の書類を意味するものとする。
図４では、マスク情報は「なし」であるので、提出書類を印刷する場合に、読取対象にはマスクすべき領域がないことを示している。
【００７９】
読取面については、読取対象が「マイナンバーカード」の場合、読取面が「表裏両面」となっているので、マイナンバーカードの表面と裏面の両方を読み取ることが必要であることを意味する。
また、読取対象が「住民票の写し」の場合、読取面が「表面のみ」となっているので、住民票の写しの表面のみを読み取ればよいことを意味する。
読取対象が「本人確認書類」の場合、読取面が「表裏両面」となっているので、本人確認書類の表面と裏面の両方を読み取ることが必要であることを意味する。
銀行口座開設の場合も、それぞれの読取対象ごとに、読取面としてどの面のコピーが必要であるかを、ユーザに知らせるために、それぞれの読取対象を実際に読み取る前に、読取面の情報を、表示部１３に表示することが好ましい。
【００８０】
印刷用紙サイズについては、図３と同様に、候補サイズと、他サイズを記憶している。
読取対象が「マイナンバーカード」の場合、候補サイズとして「B5縦」が記憶され、他サイズとして「B6横」と「A4縦」が、予め記憶されている。
また、読取対象が「住民票の写し」の場合、候補サイズが「B5横」であり、他サイズはなく、読取対象が「本人確認書類」の場合、候補サイズが「B5縦」であり、他サイズとして「B6横」が予め記憶されている。
【００８１】
読取対象配置については、図３と同様に、候補配置と、他配置を記憶している。
読取対象が「マイナンバーカード」の場合、候補配置が「表裏：上下縦配置」であり、他配置として、「B6横：左右横配置」と「A4縦：左右横配置」が予め記憶されている。
読取対象が「住民票の写し」の場合、読取面が表面のみなので、B5用紙に、住民票の写しの表面だけを印刷すればよく、候補配置と他配置の設定はない。
読取対象が「本人確認書類」の場合、候補配置が「表裏：上下縦配置」であり、他配置として、「B6横：左右横配置」が予め記憶されている。
【００８２】
その他情報は、図３と同様に、ユーザに対する参考情報であり、ユーザが銀行口座開設時に書類を提出する場合に参考となる情報などが予め記憶されている。
たとえば、銀行口座開設時にマイナンバーカードを利用する場合、「B5縦」や「B6横」の印刷用紙が選択された場合は、A4サイズの台紙に、マイナンバーカードをコピーした印刷用紙を貼付したものを提出し、「A4縦」の印刷用紙が選択された場合は、マイナンバーカードをコピーしたA4の印刷用紙をそのまま提出することが記憶されている。
また、銀行口座開設時に住民票の写しを利用する場合、住民票の写しをコピーしたB5の印刷用紙をそのまま提出することが記憶されている。
【００８３】
あるいは、銀行口座開設時にマイナンバーカードや住民票の写し以外の本人確認書類を利用する場合、「B5縦」や「B6横」の印刷用紙が選択された場合は、A4サイズの台紙に、本人確認書類をコピーした印刷用紙を貼付したものを提出することが記憶されている。
図４のその他情報も、印刷を実行した後に、表示部１３に参考情報として表示してもよい。
ただし、その他情報は、記憶しなくてもよい。
なお、銀行口座開設の場合の読取対象は、マイナンバーカードや住民票の写しなどに限るものではない。
【００８４】
（用途印刷条件情報の実施例３：本人確認に関する用途印刷条件情報）
図５に、用途が本人確認の場合の用途印刷条件情報５１を示す。
また、読取対象として、マイナンバーカード、運転免許証、パスポート、住民票の写し、本人確認書類の場合の用途印刷条件情報５１を示している。
本人確認書類は、上記したマイナンバーカードなど、例示した４つの書類以外の書類を意味するものとする。
【００８５】
図５において、マイナンバーカードとパスポートについては、マスク情報は「なし」であるので、提出書類を印刷する場合に、マスクすべき領域がないことを示している。
一方、運転免許証、住民票の写し、本人確認書類については、それぞれ、マスク情報として、マスクすべき領域が記憶されている。
たとえば、運転免許証の場合、マスク情報として、「免許の条件欄」と、「本籍地」と、「臓器提供有無欄」とが記憶されている。すなわち、「免許の条件欄」などは、所定の塗りつぶしパターンでマスクされて、記載されていた情報が読めない状態で印刷される。
【００８６】
また、住民票の写しの場合、マスク情報として、「マイナンバー」と、「本籍地」とが記憶されている。本人確認書類の場合、マスク情報として、「マイナンバー」、「本籍地」、「病歴」、「性別」が記憶されている。
ただし、マスク情報のマスクすべき領域は、予め固定的に記憶してもよいが、利用する用途などによって、ユーザが、設定変更できるようにしてもよい。
たとえば、本人確認書類を利用する用途で、「本籍地」が必要な場合は、ユーザが、所定の入力操作をすることにより、「本籍地」をマスク情報から削除する。
【００８７】
読取面については、読取対象が「マイナンバーカード」と「住民票の写し」の場合、読取面が「表面のみ」となっているので、読取対象の表面のみを読み取ればよいことを意味する。
また、読取対象が「運転免許証」の場合、読取面が「表裏両面」となっているので、運転免許証の表面と裏面の両方を読み取ることが必要であることを意味する。
また、読取対象が「パスポート」の場合、読取面が「写真ページ」と、「所持人記入欄ページ」となっているので、パスポートのこれらの２つのページを読み取ることが必要であることを意味する。
【００８８】
また、読取対象が「本人確認書類」の場合、読取面が「１枚又は複数」となっているが、これは、必要な書類が１枚の場合は、その１枚の書類を読取対象とすることを意味し、必要な書類が２枚以上の場合は、その複数の書類を読取対象とすることを意味する。
具体的に本人確認書類の種類が決まっている場合は、読取面として、その書類についての表面や裏面を予め設定記憶すればよい。
【００８９】
本人確認書類の場合も、それぞれの読取対象ごとに、読取面としてどの面のコピーが必要であるかを、ユーザに知らせるために、それぞれの読取対象を実際に読み取る前に、読取面の情報を、表示部１３に表示することが好ましい。
【００９０】
印刷用紙サイズについては、図３と同様に、候補サイズと、他サイズを記憶している。
読取対象が「マイナンバーカード」の場合、候補サイズとして「B5縦」が記憶され、他サイズとして「B6横」が、予め記憶されている。
読取対象が「運転免許証」の場合、候補サイズが「B5縦」であり、他サイズとして「B6横」と「A4縦」が予め記憶され、読取対象が「パスポート」の場合、候補サイズが「A4横」であり、他サイズとして「A4縦」が予め記憶されている。
また、読取対象が「住民票の写し」の場合、候補サイズが「B5横」であり、他サイズはなく、読取対象が「本人確認書類」の場合、候補サイズが「B5縦」であり、他サイズとして「B6横」が予め記憶されている。
【００９１】
読取対象配置については、図３と同様に、候補配置と、他配置を記憶している。
読取対象が「マイナンバーカード」の場合、候補サイズである「B5縦」に対しては候補配置が「表面：横向き配置」であり、他配置として、「B6横：横向き配置」が予め記憶されている。
読取対象が「運転免許証」の場合、候補サイズである「B5縦」に対しては候補配置が「表裏：上下縦配置」であり、他配置として、「B6横：左右横配置」と、「A4縦：左右横配置」が予め記憶されている。
【００９２】
読取対象が「パスポート」の場合、候補サイズである「A4横」に対しては候補配置が「左右横配置」であり、他配置として、他サイズである「A4縦」に対しては「上下縦配置」が予め記憶されている。
読取対象が「住民票の写し」の場合、読取面が表面のみなので、B5用紙に、住民票の写しの表面だけを印刷すればよく、候補配置と他配置の設定はない。
読取対象が「本人確認書類」の場合、読取面が複数であれば、候補サイズである「B5縦」に対しては、候補配置が「左右横配置」であり、他配置として、「B6横：左右横配置」が予め記憶されている。
【００９３】
その他情報は、図３と同様に、ユーザに対する参考情報であり、ユーザが本人確認時に書類を提出する場合に参考となる情報などが予め記憶される。
たとえば、本人確認時にマイナンバーカードを利用する場合、「B5縦」や「B6横」の印刷用紙が選択された場合は、A4サイズの台紙に、マイナンバーカードをコピーした印刷用紙を貼付したものを提出することが記憶される。
また、本人確認時に運転免許証を利用する場合、「B5縦」や「B6横」の印刷用紙が選択された場合は、A4サイズの台紙に、運転免許証をコピーした印刷用紙を貼付したものを提出し、「A4縦」の印刷用紙が選択された場合は、運転免許証をコピーしたA4の印刷用紙をそのまま提出することが記憶される。
【００９４】
また、本人確認時にパスポートを利用する場合、「A4横」の印刷用紙が選択された場合は、パスポートをコピーしたA4の印刷用紙をそのまま提出し、「A4縦」の印刷用紙が選択された場合も、パスポートをコピーしたA4の印刷用紙をそのまま提出することが記憶される。
また、本人確認時に住民票の写しを利用する場合、住民票の写しをコピーしたB5の印刷用紙をそのまま提出することが記憶される。
また、本人確認時に本人確認書類を利用する場合、「B5縦」や「B6横」の印刷用紙が選択された場合は、A4サイズの台紙に、本人確認書類をコピーした印刷用紙を貼付したものを提出することが記憶される。
【００９５】
図５のその他情報も、印刷を実行した後に、表示部１３に参考情報として表示してもよい。
ただし、その他情報は、記憶しなくてもよい。
なお、本人確認の場合の読取対象は、上記したマイナンバーカードなどに限るものではない。
【００９６】
読取対象物情報５２は、上記した読取対象判定部２１によって判定された読取対象物の種類を記憶した情報である。
図２（a）に、記憶部５０に記憶される読取対象物情報５２のいくつかの実施例を示す。
たとえば、判定された読取対象物がパスポートの場合、読取対象物情報５２として、パスポートが記憶される。
【００９７】
用途情報５３は、上記した用途確定部２２によって確定された用途を記憶した情報である。
図２（b）に、記憶部５０に記憶される用途情報５３のいくつかの実施例を示す。
たとえば、確定された用途が銀行口座開設の場合、用途情報５３として、銀行口座開設が記憶される。
【００９８】
マスク位置情報５４は、上記した非印刷位置確定部２４によって確定されたマスク位置（マスク領域）を記憶した情報である。
図２（c）に、記憶部５０に記憶されるマスク位置情報５４のいくつかの実施例を示す。
たとえば、確定されたマスク領域が「マイナンバー（個人番号）」であれば、マスク位置情報５４として、「マイナンバー番号欄」が記憶される。
また、判定された読取対象物が「運転免許証」の場合、マスクすべき領域が「免許の条件欄」と「臓器提供有無欄」に予め固定されていたとすれば、マスク位置情報５４として、「免許の条件欄」と「臓器提供有無欄」とが記憶される。
【００９９】
図９に、マイナンバーカードのマスク領域の一実施例の説明図を示す。
図９（a）に、マイナンバーカードの表面を示し、図９（b）に、マイナンバーカードの裏面を示す。
図９（a）のマイナンバーカードの表面において、「臓器提供意思」の欄が、マスク位置として設定記憶された場合、マイナンバーカードの表面が表示部１３に表示されるとき、マスク後は、「臓器提供意思」の欄が、所定のマスクパターンでマスクされ、「臓器提供意思」の内容が見えないように表示される。
【０１００】
また、図９（b）のマイナンバーカードの裏面において、「マイナンバー（個人番号）」と「QRコード(登録商標)」の欄が、マスク位置として設定記憶された場合、マイナンバーカードの裏面が表示部１３に表示されるとき、マスク後は、「マイナンバー（個人番号）」と「QRコード」の欄が、所定のマスクパターンでマスクされ、「マイナンバー（個人番号）」と「QRコード」の内容が見えないように表示される。
【０１０１】
図１０に、運転免許証のマスク領域の一実施例の説明図を示す。
図１０（a）に、運転免許証の表面を示し、図１０（b）に、運転免許証の裏面を示す。
図１０（a）の運転免許証の表面において、「免許の条件等」の欄が、マスク位置として設定記憶された場合、運転免許証の表面が表示部１３に表示されるとき、マスク後は、「免許の条件等」の欄が、所定のマスクパターンでマスクされ、「免許の条件等」の内容が見えないように表示される。
【０１０２】
また、図１０（b）の運転免許証の裏面において、「臓器提供意思」の欄が、マスク位置として設定記憶された場合、マイナンバーカードの裏面が表示部１３に表示されるとき、マスク後は、「臓器提供意思」の欄が、所定のマスクパターンでマスクされ、「臓器提供意思」の内容が見えないように表示される。
【０１０３】
印刷条件情報５５は、上記した印刷条件設定部２３によって設定された印刷条件を記憶した情報である。
印刷条件としては、上記したように、読取面、印刷用紙サイズ、読取対象配置などがある。
読取面は、用途印刷条件情報５１を利用して、確定した読取対象物と用途から設定され、印刷用紙サイズと読取対象配置は、ユーザによって選択される。
【０１０４】
図２（d）に、記憶部５０に記憶される印刷条件情報５５のいくつかの実施例を示す。
印刷条件情報５５のうち、印刷用紙サイズとしては、たとえば、ユーザによって選択された「A4横」というような情報が記憶される。
読取面としては、たとえば、用途印刷条件情報５１から、「表裏両面」というような情報が記憶される。
読取対象配置としては、たとえば、ユーザによって選択された「左右配置」というような情報が記憶される。
【０１０５】
印刷画像データ５６は、印刷画像生成部２５によって生成された画像データであり、画像出力部１７によって、所定の印刷用紙に印刷される。
【０１０６】
＜用途別書面印刷処理の実施例＞
マイナンバーカードなどの印刷対象物を読み取って、印刷対象物を利用する用途ごとに異なる印刷処理を行わせる実施例について説明する。
図１１に、用途別書面印刷処理の一実施例のフローチャートを示す。
まず、前提として、ユーザは、本人確認等の用途に利用する印刷対象物の複写（コピー）をするために、その印刷対象物を、画像形成装置の原稿載置台に載置する。
【０１０７】
最初から印刷対象物の読取面がコピーされるように載置することが好ましいが、後述する図１１のステップS1では、読取対象物の種類を判定するだけなので、読取対象物のサイズだけでその種類が判定できる場合は、印刷対象物の読取面がコピーされるように載置しなくてもよい。
最初、印刷対象物の読取面がコピーされるように載置されなかったとしても、後述する図１１のステップS7において、実際に印刷対象物の読取を行うまでに、ユーザによって、印刷対象物の読取面がコピーされるように、印刷対象物を載置するようにすればよい。
たとえば、実際に印刷対象物の読取を行う前に、印刷対象物の読取面がコピーされるように印刷対象物を載置することを要求するメッセージや、印刷対象物の読取面がコピーされるように印刷対象物を載置しているか否かを確認するメッセージを、表示部１３に表示すればよい。
【０１０８】
図１１のステップS1において、読取対象判定部２１が、読取対象の種類を判定する。
ここでは、主として、画像入力部１５によって原稿載置台に載置された読取対象原稿を読み取り、読み取った原稿の画像データから、読取対象の種類を判定し、判定された種類を、読取対象物情報５２として記憶する。
後述する図１２に、読取対象の種類判定処理の一実施例の詳細なフローチャートを示す。
【０１０９】
ステップS2において、用途確定部２２が、用途を確定する処理を行う。
ここでは、主として、用途選択画面を表示し、ユーザによって選択された用途を、用途情報５３として記憶する。
後述する図１３に、用途確定処理の一実施例の詳細なフローチャートを示す。
【０１１０】
ステップS3において、印刷条件設定部２３が、印刷用紙サイズを設定する処理を行う。
ここでは、主として、印刷用紙サイズの選択画面を表示し、ユーザによって選択された印刷用紙サイズを、印刷条件情報５５に記憶する。
後述する図１４に、印刷用紙サイズの設定処理の一実施例の詳細なフローチャートを示す。
【０１１１】
ステップS4において、印刷条件設定部２３が、印刷配置を設定する処理を行う。
ここでは、主として、用途印刷条件情報５１から、確定した用途や印刷対象などに対応する印刷対象の候補配置を取得して、候補配置を含む配置の選択画面を表示し、ユーザによって選択された配置を、印刷条件情報５５に記憶する。
後述する図１５に、印刷配置の設定処理の一実施例の詳細なフローチャートを示す。
【０１１２】
ステップS5において、非印刷位置確定部２４が、非印刷位置（マスク領域）を確定する処理を行う。
ここでは、主として、用途印刷条件情報５１から、確定した用途や印刷対象に対応するマスク情報を取得して、マスク領域の確認選択画面を表示し、ユーザによって確認または選択されたマスク領域の位置を、マスク位置情報５４に記憶する。
後述する図１６に、マスク領域の確定処理の一実施例の詳細なフローチャートを示す。
【０１１３】
ステップS6において、実際に印刷する前に、ユーザが印刷状態を確認するために、印刷画像生成部２５が表示に利用する概略的な印刷画像データを生成して、印刷される予想概略画像データを表示させ、印刷状態を確認する処理を行う。
ここでは、印刷される予想概略画像データを表示させた後、予想概略画像データを見たユーザによって、印刷承認入力がされるか否かをチェックし、印刷承認入力がされずに、予想概略画像データを修正する入力がされた場合には、選択された情報について修正を行う。
後述する図１７に、印刷状態の確認処理の一実施例の詳細なフローチャートを示す。
【０１１４】
ステップS7において、画像入力部１５によって読取対象原稿の読取処理を行い、入力画像データとして記憶部５０に一時記憶する。
ここで、たとえば、ユーザによって、読取処理の実行を意味する入力操作がされた場合に、読取対象原稿の読取処理を実行する。
読取面が複数ある場合は、読取面を指示する画面を表示して、ユーザに、指示した画面どおりに読取対象原稿を載置し直してもらい、再度、読取処理の実行を意味する入力操作をしてもらう。
【０１１５】
ステップS8において、一時記憶された入力画像データを利用して、設定した印刷条件に従って、印刷画像生成部２５が印刷画像データを生成する。その後、画像出力部１７によって、生成された印刷画像データを、印刷用紙に印刷する。
上記の処理により、ユーザが意図した用途にとって適切な条件で、印刷対象物の印刷が行われる。
【０１１６】
（読取対象の種類判定処理）
図１２に、ステップS1で実行される読取対象の種類判定処理の一実施例のフローチャートを示す。
ステップS11において、読取対象の原稿が載置台に載置されたか否かをチェックし、読取対象原稿が載置台に載置されている場合は、ステップS12に進み、そうでない場合は、ステップS11を繰り返す。
ステップS12において、画像入力部１５によって、読取対象原稿を読み取り、入力画像データとして、一時記憶する。
【０１１７】
ステップS13において、読取対象判定部２１が、読み取った原稿の入力画像データを利用して、読取対象の種類を判定する。
特に、上記したように、原稿サイズ検出部によって原稿のサイズを検出し、画像認識部によって入力画像データを解析して読取対象の種類を認識する。
判定された種類は、読取対象物情報５２として、記憶部５０に記憶される。
以上の処理により、読取対象物の種類が確定される。
【０１１８】
（用途確定処理）
図１３に、ステップS2で実行される用途確定処理の一実施例のフローチャートを示す。
ステップS21において、用途選択画面を、表示部１３に表示させる。
図６に、印刷物を利用する用途を選択する表示画面（用途選択画面）の一実施例の説明図を示す。
図６では、税金関連、口座開設、本人確認、およびその他という４つの用途のうち、いずれかを選択する用途選択画面を示している。ただし、用途はこれらに限るものではなく、他の用途を、用途選択画面に表示してもよい。
【０１１９】
ユーザは、この用途選択画面を見て、たとえば、口座開設のための書類のコピーをしたい場合は、口座開設の表示部分を選択する入力操作をすればよい。
ステップS22において、用途を選択する入力がされたか否かをチェックする。
ステップS23において、用途を選択する入力がされた場合は、ステップS24に進み、そうでない場合は、ステップS22に戻り、用途を選択する入力がされるのを待つ。
ステップS24において、選択された用途を、用途情報５３として記憶する。
以上の処理により、読取対象物を利用する用途が確定される。
【０１２０】
（印刷用紙サイズの設定処理）
図１４に、ステップS3で実行される印刷用紙サイズの設定処理の一実施例のフローチャートを示す。
ステップS31において、印刷用紙サイズの選択画面を、表示部１３に表示させる。
ここで、用途印刷条件情報５１を利用して、ステップS1で確定した印刷対象物と、ステップS2で確定した用途とに対応づけられた印刷用紙サイズを読み出し、印刷用紙サイズの選択画面には、この読み出した印刷用紙サイズの内容を表示させる。
【０１２１】
図７に、印刷用紙を選択する表示画面の一実施例の説明図を示す。
図７では、お勧めする用紙として、B5縦を表示し、その他の用紙として、A4横、A4縦、B4横などを表示している。
ここで、「お勧めする用紙」は、用途印刷条件情報５１における印刷用紙サイズの「候補サイズ」に予め設定されていた用紙であり、確定した印刷対象物および用途に適切な推奨される用紙である。
また、「その他の用紙」は、用途印刷条件情報５１における印刷用紙サイズの「他サイズ」に予め設定されていた用紙である。
【０１２２】
ユーザは、印刷用紙サイズの選択画面を見て、たとえば、印刷用紙サイズとして、お勧めする用紙であるB5縦を選択したい場合は、B5縦の表示部分を選択する入力操作をすればよい。
確定した印刷対象物および用途に適切な用紙が、「お勧めする用紙」として表示されているので、特に希望する印刷用紙サイズがない場合は、ユーザは、印刷対象物および用途にとって適切な印刷用紙サイズの選択に迷うことが無く、迅速かつ容易に、印刷用紙サイズを選択することができる。
【０１２３】
また、用途印刷条件情報５１における印刷用紙サイズにおいて、「候補サイズ」のみが設定されており、「他サイズ」に設定された用紙がない場合は、利用可能な用紙が１つしかないので、たとえば、「利用可能な用紙」として、B5縦を表示し、「その他の用紙」は表示しないようにしてもよい。
【０１２４】
ステップS32において、印刷用紙サイズを選択する入力がされたか否かをチェックする。
ステップS33において、印刷用紙サイズを選択する入力がされた場合は、ステップS34に進み、そうでない場合は、ステップS32に戻り、印刷用紙サイズを選択する入力がされるのを待つ。
ステップS34において、選択された印刷用紙サイズを、印刷条件情報５５に記憶する。
以上の処理により、読取対象物をコピーする印刷用紙サイズが確定される。
【０１２５】
（印刷配置の設定処理）
図１５に、ステップS4で実行される印刷配置の設定処理の一実施例のフローチャートを示す。
確定された印刷対象物と用途に対応づけられた読取面が複数ある場合に、以下の印刷配置の設定処理が実行される。ただし、読取面が１つの場合は、印刷される対象物の画像は１つなので、読取対象配置が設定されていなければ、印刷配置の設定処理はしなくてもよい。
【０１２６】
ステップS41において、用途印刷条件情報５１を利用して、ステップS1で確定した印刷対象物と、ステップS2で確定した用途と、ステップS3で確定した印刷用紙サイズとに対応づけられた読取対象配置の「候補配置」と「他配置」を取得する。
「他配置」が設定されていない場合は、「候補配置」のみを取得する。
【０１２７】
また、用途印刷条件情報５１において、確定された印刷対象物と用途に対応づけられた読取面が、「表面のみ」というように、１つの面だけであり、用途印刷条件情報５１の読取対象配置に情報が記憶されていない場合は、図１５には図示していないが、ステップS42以降の処理を行わずに、処理を終了してもよい。
【０１２８】
ステップS42において、候補配置を含む配置の選択画面を、表示部１３に表示させる。
図８に、印刷画像の配置を選択する表示画面の一実施例の説明図を示す。
図８（a）では、お勧めする配置として、B5縦の場合のたて向きの配置を表示し、その他の配置として、「B5横：よこ向き」、「B6横：よこ向き」、「A4横：よこ向き」を表示している。
ここで、「お勧めする配置」は、用途印刷条件情報５１における読取対象配置の「候補配置」に予め設定されていた配置であり、確定した印刷対象物、用途および印刷用紙サイズに適切な推奨される配置である。
また、「その他の配置」は、用途印刷条件情報５１における読取対象配置の「他配置」に予め設定されていた配置である。
【０１２９】
ユーザは、配置の選択画面を見て、たとえば、読取対象の配置として、お勧めする配置である「B5縦：たて向き」を選択したい場合は、「お勧めする配置」の表示部分を選択する入力操作をすればよい。
確定した印刷対象物、用途および印刷用紙サイズに適切な配置が、「お勧めする配置」として表示されているので、特に希望する配置がない場合は、ユーザは、印刷対象物、用途および印刷用紙サイズにとって適切な配置の選択に迷うことが無く、迅速かつ容易に、読取対象の配置を選択することができる。
【０１３０】
図８（b）は、確定した印刷用紙サイズにおける配置として、たて向きの配置と、よこ向きの配置の印刷イメージを表示したものである。ここでも、どちらの配置がお勧めの配置であるかを表示してもよい。
また、代表的な配置として、たて向きの配置と、よこ向きの配置を示したが、配置はこの２つに限るものではなく、たとえば、重要な記載内容が印刷されるように、表面と裏面とを詰めて印刷する配置などを、配置の選択肢として表示してもよい。
【０１３１】
ステップS43において、読取対象の配置を選択する入力がされたか否かをチェックする。
ステップS44において、読取対象の配置を選択する入力がされた場合は、ステップS45に進み、そうでない場合は、ステップS43に戻り、読取対象の配置を選択する入力がされるのを待つ。
ステップS45において、選択された読取対象の配置を、印刷条件情報５５に記憶する。
以上の処理により、読取対象物をコピーしたときの配置が確定される。
【０１３２】
（マスク領域の確定処理）
図１６に、ステップS5で実行されるマスク領域の確定処理の一実施例のフローチャートを示す。
確定された印刷対象物と用途に対応づけられたマスク情報が設定されている場合に、以下のマスク領域の確定処理が実行される。ただし、マスク情報が設定されていない場合は、特定の領域をマスクする必要はないので、マスク領域を考慮する必要はなく、マスク領域の確定処理はしなくてもよい。
【０１３３】
ステップS51において、用途印刷条件情報５１を利用して、ステップS1で確定した印刷対象物と、ステップS2で確定した用途に対応づけられたマスク情報を取得する。
印刷対象物と用途に対応づけられたマスク情報が設定されていない場合は、図１６には図示していないが、ステップS52以降の処理を行わずに、処理を終了してもよい。
【０１３４】
ステップS52において、印刷対象物のマスク領域の確認選択画面を表示する。
確認選択画面では、取得したマスク情報に設定されたマスク領域を示した印刷対象物の読取面の画像を表示する。
ユーザは、このマスク領域の確認選択画面を見て、予め設定されたマスク領域の位置を確認し、マスク領域に問題がなければ、マスク領域を承認（確認）したことを示す入力操作をすればよい。
一方、このマスク領域の確認選択画面を見て、マスク領域の位置の変更や追加等をしたい場合は、所望のマスク領域を選択する入力操作をすればよい。
【０１３５】
上記したように、図９に、印刷対象物（マイナンバーカード）のマスク領域の一実施例を示したが、マイナンバーカードの表面のマスク領域として、「臓器提供意思」の欄が設定されている場合は、図９（a）の右側に示すように、「臓器提供意思」の欄が所定のマスクパターンでマスクされ、「臓器提供意思」の欄の内容が見えないように表示される。
また、マイナンバーカードの裏面のマスク領域として、「個人番号」と「QRコード」の欄が設定されている場合は、図９（b）の右側に示すように、「個人番号」と「QRコード」の欄が所定のマスクパターンでマスクされ、「個人番号」と「QRコード」の欄の内容が見えないように表示される。
【０１３６】
また、上記したように、図１０に示した印刷対象物（運転免許証）のマスク領域の一実施例では、運転免許証の表面のマスク領域として、「免許の条件等」の欄が設定されている場合は、図１０（a）の右側に示すように、「免許の条件等」の欄が所定のマスクパターンでマスクされ、「免許の条件等」の欄の内容が見えないように表示される。
また、運転免許証の裏面のマスク領域として、「臓器提供意思」の欄が設定されている場合は、図１０（b）の右側に示すように、「臓器提供意思」の欄が所定のマスクパターンでマスクされ、「臓器提供意思」の欄の内容が見えないように表示される。
【０１３７】
ステップS53において、マスク領域の確認入力または、マスク領域の選択入力の有無をチェックする。
ステップS54において、表示されたマスク領域を確認して承認したことを意味する入力がされた場合は、ステップS55に進み、そうでない場合は、ステップS56に進む。
ステップS56において、マスク領域を選択する入力がされた場合は、ステップS57に進み、そうでない場合は、ステップS53に戻る。
【０１３８】
ステップS57において、選択されたマスク領域を設定し、確認選択画面に表示する。
マスク領域を選択する入力では、予め設定されているマスク領域の削除、新たなマスク領域の追加が行われる。
たとえば、マイナンバーカードや運転免許証の「住所」の欄を、マスク領域に設定したい場合は、「住所」の欄をマスク領域として選択する入力操作をすればよい。
「住所」の欄をマスク領域として選択する入力操作をした後、「住所」の欄が所定のマスクパターンでマスクされ、「住所」の欄の内容が見えないように表示される。
ステップS57の後、ステップS53に戻る。
【０１３９】
ステップS55において、確認されたマスク領域の位置を、マスク位置情報５４として記憶し、処理を終了する。
以上の処理により、読取対象物をコピーしたときのマスク領域が確定される。
【０１４０】
（印刷状態の確認処理）
図１７に、ステップS6で実行される印刷状態の確認処理の一実施例のフローチャートを示す。
ステップS61において、記憶部５０に記憶された印刷対象物情報５２と、用途情報５３と、マスク位置情報５４と、印刷条件情報（印刷用紙サイズ、読取面、配置を含む）５５とを利用して、印刷用紙に印刷される印刷対象物の予想概略画像データを生成し、表示部１３に表示する。
【０１４１】
ユーザは、表示された予想概略画像データを確認し、この予想概略画像データのように印刷してもよいか否かを判断する。
予想概略画像データの状態で印刷してもよい場合は、ユーザは、印刷承認を意味する入力操作をすればよい。
一方、予想概略画像データの状態が、ユーザの意図する印刷状態でない場合は、ユーザは、修正すべき情報を選択し、その情報の内容を修正する。
【０１４２】
ステップS62において、予想概略画像データの修正入力と印刷承認入力の有無をチェックする。
ステップS63において、印刷承認の入力がない場合は、ステップS64に進み、印刷承認の入力があれば、処理を終了する。
ステップS64において、予想概略画像データを修正する入力があった場合は、ステップS65に進み、そうでない場合は、ステップS62に戻る。
ステップS65において、ユーザによって選択された修正すべき情報の内容を修正し、ステップS62に戻る。
以上の処理により、予想される印刷状態の確認処理が行われる。
【符号の説明】
【０１４３】
１  画像形成装置（ＭＦＰ）、
１１  制御部、
１２  操作部、
１３  表示部、
１４  画像処理部、
１５  画像入力部、
１６  画像形成部、
１７  画像出力部、
２１  読取対象判定部、
２２  用途確定部、
２３  印刷条件設定部、
２４  非印刷位置確定部、
２５  印刷画像生成部、
５０  記憶部、
５１  用途印刷条件情報、
５２  読取対象物情報、
５３  用途情報、
５４  マスク位置情報、
５５  印刷条件情報、
５６  印刷画像データ
【図１】
2020127085.tif 000003
【図２】
2020127085.tif 000004
【図３】
2020127085.tif 000005
【図４】
2020127085.tif 000006
【図５】
2020127085.tif 000007
【図６】
2020127085.tif 000008
【図７】
2020127085.tif 000009
【図８】
2020127085.tif 000010
【図９】
2020127085.tif 000011
【図１０】
2020127085.tif 000012
【図１１】
2020127085.tif 000013
【図１２】
2020127085.tif 000014
【図１３】
2020127085.tif 000015
【図１４】
2020127085.tif 000016
【図１５】
2020127085.tif 000017
【図１６】
2020127085.tif 000018
【図１７】
2020127085.tif 000019